(57)【要約】【課題】排水栓が開放している状態で湯はりを行ったとしても浴槽内に湯水を支障なく貯めることができる浴槽の給湯システムを提供する。【解決手段】本発明は、給湯機９から湯水を浴槽Ｂ内に供給する往き側流路と、浴槽Ｂの排水口２１に開閉自在に取り付けられた排水栓５と、排水栓５を開閉駆動する開閉駆動手段と、開閉指令を入力するための排水栓操作部７１とを備え、排水栓操作部７１からの開閉指令に応答して排水栓５が開閉するようにした浴槽の給湯システムを対象とする。本給湯システムは、往き側流路内の湯水の流れを検出するフロースイッチ６と、排水栓５が開放状態および閉塞状態かを検出する開閉状態検出手段と、フロースイッチ６、開閉状態検出手段からの情報に基づき、開閉駆動手段の駆動を制御して排水栓５が開放された状態で往き側流路内を湯水が流通した際に排水栓５を閉塞する制御手段４とを備える。【選択図】図１
2016205766.tif 000002
【特許請求の範囲】
【請求項１】
給湯機から吐出された湯水を浴槽内に供給する往き側流路と、浴槽内の湯水を排水する排水口に開閉自在に取り付けられた排水栓と、前記排水栓を開閉駆動する開閉駆動手段と、開閉指令を入力するための排水栓操作部とを備え、前記排水栓操作部からの開閉指令に応答して前記開閉駆動手段が駆動して前記排水栓が開閉するように構成された浴槽の給湯システムであって、
前記往き側流路内を湯水が流通していることを検出するフロースイッチと、
前記排水栓が開放状態および閉塞状態のいずれの状態かを検出する開閉状態検出手段と、
前記フロースイッチおよび前記開閉状態検出手段からの情報に基づき、前記開閉駆動手段の駆動を制御して、前記排水栓が開放された状態で前記往き側流路内を湯水が流通した際に前記排水栓を閉塞する制御手段とを備えることを特徴とする浴槽の給湯システム。
【請求項２】
前記制御手段は、前記フロースイッチからの情報を基に前記往き側流路内の湯水の流通を検出している間、前記排水栓操作部からの開閉指令の受付を禁止するように構成されている請求項１に記載の浴槽の給湯システム。
【請求項３】
前記往き側流路は、浴槽に取り付けられた給湯アダプタの吐出流路と、給湯機から吐出された湯水を前記給湯アダプタの吐出流路に供給する往き管とによって構成され、
前記フロースイッチは前記往き管に設けられている請求項１または２に記載の浴槽の給湯システム。
【請求項４】
前記給湯アダプタは浴槽の底壁に貫通状態に取り付けられ、かつ前記排水栓が一体に組み込まれた排水栓一体型給湯アダプタによって構成されている請求項３に記載の浴槽の給湯システム。
【請求項５】
給湯機から吐出された湯水を浴槽内に供給する往き側流路と、浴槽内の湯水を吸引して前記給湯機に戻す戻り側流路と、浴槽内の湯水を排水する排水口に開閉自在に取り付けられた排水栓と、前記排水栓を開閉駆動する開閉駆動手段と、開閉指令を入力するための排水栓操作部とを備え、前記排水栓操作部からの開閉指令に応答して前記開閉駆動手段が駆動して前記排水栓が開閉するように構成された浴槽の給湯システムであって、
前記戻り側流路内を湯水が流通していることを検出するフロースイッチと、
前記排水栓が開放状態および閉塞状態のいずれの状態かを検出する開閉状態検出手段と、
前記フロースイッチおよび前記開閉状態検出手段からの情報に基づき、前記開閉駆動手段の駆動を制御して、前記排水栓が開放された状態で前記往き側流路内を湯水が流通した際に前記排水栓を閉塞する制御手段とを備えることを特徴とする浴槽の給湯システム。
【発明の詳細な説明】
【技術分野】
【０００１】
この発明は、電動開閉式の排水栓を備えた浴槽において給湯機から湯水が供給されるようにした浴槽の給湯システムに関する。
【背景技術】
【０００２】
従来、特許文献１，２に示すように浴槽内に湯水を供給する給湯アダプタが浴槽の底壁に組み付けられるとともに、その給湯アダプタに排水栓が一体に組み込まれた排水栓一体型給湯アダプタが提案されている。この給湯アダプタにおいて湯はり時等には室外の給湯機から供給される湯水が給湯アダプタの吐出口を介して浴槽内に供給されて貯留されるようになってい
る。さらに入浴後に湯水を排出する際には、排水栓を排水口から外して排水口を開放して排水するようにしている。
【０００３】
一方、排水栓一体型給湯アダプタにかかわらず、浴槽内に設けられた排水栓として、ワンタッチ操作で開閉できる電動開閉式の排水栓が周知である。例えばポップアップ式の電動排水栓は、操作ボタン等の操作スイッチが浴槽縁等に設けられており、排水栓が閉塞された状態で、操作スイッチを押すと排水栓が少し持ち上げられて排水口が開放される一方、排水栓が開放された状態で、操作スイッチを押すと排水栓が下方に引き込まれて排水口が閉塞されるようになっている。
【先行技術文献】
【特許文献】
【０００４】
【特許文献１】特開２００１−１４９２４８号公報
【特許文献２】特開２００２−２６３０１９号公報
【発明の概要】
【発明が解決しようとする課題】
【０００５】
しかしながら、上記のような浴槽の給湯システムにおいては、勘違い等によって排水栓を開放したままの状態で湯はりを行うことがあった。例えば排水栓が開放状態であるのにもかかわらず閉塞状態であると勘違いしたり、操作スイッチの操作が不十分であったにもかかわら弁閉塞操作を確実に行うことができた勘違いすることにより、開放状態のままで湯水の供給を開始してしまうことがある。そうすると言うまでもなく、浴槽内に湯水を貯めることができず湯はり不良（湯はりエラー）となってしまう課題があった。
【０００６】
この発明は、上記の課題に鑑みてなされたものであり、排水栓を開放させた状態で謝って湯はりを開始したとしても、浴槽内に湯水を確実に貯めることができる浴槽の給湯システムを提供することを目的とする。
【課題を解決するための手段】
【０００７】
上記課題を解決するため、本発明は、以下の手段を備えるものである。
【０００８】
［１］給湯機から吐出された湯水を浴槽内に供給する往き側流路と、浴槽内の湯水を排水する排水口に開閉自在に取り付けられた排水栓と、前記排水栓を開閉駆動する開閉駆動手段と、開閉指令を入力するための排水栓操作部とを備え、前記排水栓操作部からの開閉指令に応答して前記開閉駆動手段が駆動して前記排水栓が開閉するように構成された浴槽の給湯システムであって、
前記往き側流路内を湯水が流通していることを検出するフロースイッチと、
前記排水栓が開放状態および閉塞状態のいずれの状態かを検出する開閉状態検出手段と、
前記フロースイッチおよび前記開閉状態検出手段からの情報に基づき、前記開閉駆動手段の駆動を制御して、前記排水栓が開放された状態で前記往き側流路内を湯水が流通した際に前記排水栓を閉塞する制御手段とを備えることを特徴とする浴槽の給湯システム。
【０００９】
［２］前記制御手段は、前記フロースイッチからの情報を基に前記往き側流路内の湯水の流通を検出している間、前記排水栓操作部からの開閉指令の受付を禁止するように構成されている前項１に記載の浴槽の給湯システム。
【００１０】
［３］前記往き側流路は、浴槽に取り付けられた給湯アダプタの吐出流路と、給湯機から吐出された湯水を前記給湯アダプタの吐出流路に供給する往き管とによって構成され、
前記フロースイッチは前記往き管に設けられている前項１または２に記載の浴槽の給湯システム。
【００１１】
［４］前記給湯アダプタは浴槽の底壁に貫通状態に取り付けられ、かつ前記排水栓が一体に組み込まれた排水栓一体型給湯アダプタによって構成されている前項３に記載の浴槽の給湯システム。
【００１２】
［５］給湯機から吐出された湯水を浴槽内に供給する往き側流路と、浴槽内の湯水を吸引して前記給湯機に戻す戻り側流路と、浴槽内の湯水を排水する排水口に開閉自在に取り付けられた排水栓と、前記排水栓を開閉駆動する開閉駆動手段と、開閉指令を入力するための排水栓操作部とを備え、前記排水栓操作部からの開閉指令に応答して前記開閉駆動手段が駆動して前記排水栓が開閉するように構成された浴槽の給湯システムであって、
前記戻り側流路内を湯水が流通していることを検出するフロースイッチと、
前記排水栓が開放状態および閉塞状態のいずれの状態かを検出する開閉状態検出手段と、
前記フロースイッチおよび前記開閉状態検出手段からの情報に基づき、前記開閉駆動手段の駆動を制御して、前記排水栓が開放された状態で前記往き側流路内を湯水が流通した際に前記排水栓を閉塞する制御手段とを備えることを特徴とする浴槽の給湯システム。
【発明の効果】
【００１３】
発明［１］の浴槽の給湯システムによれば、排水栓を開放した状態で湯はりを行った場合、排水栓が自動的に閉塞するため、排水栓開放状態であっても湯はりを支障なく行うことができ、浴槽内に湯水を確実に貯めることができる。
【００１４】
発明［２］の浴槽の給湯システムによれば、フロースイッチにより往き側流路内の湯水の流れが検出されている間、排水栓操作部からの開閉指令の受付を禁止するようにしているため、湯はり中に謝って使用者が開閉指令操作を行ったとしても不用意に排水栓が開放するような不具合を確実に防止することができる。
【００１５】
発明［３］によれば、外部配管としての往き管にフロースイッチを設けるようにしているため、フロースイッチを簡単に取り付けることができる。
【００１６】
発明［４］によれば、浴槽底壁に給湯アダプタが取り付けられる浴槽の給湯システムにおいても上記と同様の効果を得ることができる。
【００１７】
発明［５］によれば、排水栓を開放した状態で、給湯機から湯水を往き側流路および戻り側流路で浴槽内に供給するダブル搬送方式によって湯はりを行った場合、上記と同様に排水栓が自動的に閉塞するため、排水栓開放状態であっても湯はりを支障なく行うことができ、浴槽内に湯水を確実に貯めることができる。
【図面の簡単な説明】
【００１８】
【図１】図１はこの発明の実施形態である浴槽の給湯システムを示す断面図である。
【図２】図２は実施形態の給湯システムにおける制御系を説明するためのブロック図である。
【図３】図３は実施形態の給湯システムの動作を説明するためのフローチャートである。
【図４】図４は実施形態の給湯システムにおいて閉時のスイッチ操作による動作を説明するためのフローチャートである。
【図５】図５は実施形態の給湯システムにおいて開時のスイッチ操作による動作を説明するためのフローチャートである。
【図６】図６は実施形態の給湯システムにおいて閉時のフロー検出による動作を説明するためのフローチャートである。
【図７】図７は実施形態の給湯システムにおいて開時のフロー検出による動作を説明するためのフローチャートである。
【発明を実施するための形態】
【００１９】
図１はこの発明の実施形態である浴槽の給湯システムを示す断面図である。同図に示すようにこの給湯システムにおいては浴槽Ｂにおける底壁に貫通状態に排水栓一体型給湯アダプタＰが組み付けられている。なお以下の説明においては、発明の理解を容易にするため、図１の紙面に向かって右側を「前側」、左側を「後側」として説明する。
【００２０】
図１に示すように給湯アダプタＰは排水管２を備えている。排水管２の上端開口（一端開口）は排水口２１として構成されている。
【００２１】
アダプタＰにおける排水管２の前後両側には、吐出流路３ａおよび吸引流路３ｂが形成されている。吐出流路３ａはその上端側が浴槽内において浴槽底面に沿うように前側に屈曲し、その先端に吐出口３１ａが形成されている。さらに吸引流路３ｂはその上端側が浴槽内において浴槽底面に沿うように後側に屈曲し、その先端に吸引口３１ｂが形成されている。
【００２２】
アダプタＰの排水口２１に開閉自在に取り付けられる排水栓５は、電動式（自動式）のポップアップ式排水栓によって構成されている。この排水栓５は上下に昇降自在に取り付けられており、上昇した状態では排水口２１から離間して排水口２１を開放するとともに、降下した状態では排水口２１に密着して排水口２１を閉塞するようになっている。
【００２３】
一方図１および図２に示すように浴槽縁には排水栓５を開閉操作するための開閉機構部７が設けられている。開閉機構部７における浴槽縁の上面側には、軽い接触圧で応答するタッチボタン型の開閉スイッチ７２が設けられるとともに、排水栓操作部７１における開閉スイッチ７２の近傍には閉表示ＬＥＤ７２ａおよび開表示ＬＥＤ７２ｂ（図２参照）が設けられている。また開閉機構部７における浴槽縁の下側には開閉駆動手段としてのモーター７５が組み込まれている。
【００２４】
図１に示すように排水栓５を昇降させるためのワイヤー５１の一端は排水栓５の下面中央に連結されるとともに、そのワイヤー５１をスライド自在に収容するチューブ５２が排水管２内を通って排水管２の下部から排水管周壁を貫通してアダプタＰの外部に引き出される。さらにアダプタＰの外部に引き出されたチューブ５２の他端側が開閉機構部７に連結されて、チューブ５２内のワイヤー５１の他端がモーター７５に接続されている。そしてモーター７５が回転駆動してワイヤー５１がスライドすることによって、排水栓５が昇降して排水口２１が開閉するようになっている。
【００２５】
また図２に示すように給湯アダプタＰは、排水栓５が閉塞位置（降下位置）にあるか否かを検出する閉塞位置検出手段５５ａと、排水栓５が開放位置（上昇位置）にあるか否かを検出する開放位置検出手段５５ｂとを備えている。本実施形態においては、閉塞位置検出手段５５ａおよび開放位置検出手段５５ｂによって開閉状態検出手段が構成されている。
【００２６】
また本実施形態においては排水栓５の開閉動作を制御する制御手段４が設けられており、この制御手段４は給湯アダプタＰの閉塞位置検出手段５５ａからの情報に基づいて、排水栓５が閉塞位置にあるか否かを把握できるとともに、開放位置検出手段５５ｂからの情報に基づいて、排水栓が５が開放位置にあるか否かを把握できるようになっている。後に詳述するが、制御手段４の制御によって、開閉スイッチ７２が押された際に、排水栓５が閉塞状態にあるときには開放され、排水栓５が開放状態にあるときに閉塞されるようになっている。また制御手段４の制御によって排水栓５が閉塞位置にある場合には閉表示ＬＥＤ７２ａが点灯し、閉塞位置にない場合には閉表示ＬＥＤ７２ａが消灯するようになっている。さらに排水栓が開放位置にある場合には開表示ＬＥＤ７２ｂが点灯し、開放位置にない場合には開表示ＬＥＤ７２ｂが消灯するようになっている。
【００２７】
なお本実施形態においてこの制御手段４は例えばマイクロコンピュータによって構成されており、単独で設けても良いが、給湯機９の駆動を制御する制御装置と兼用させるのが一般的である。
【００２８】
アダプタＰの吐出流路３ａは往き管９１ａを介して給湯機９の吐出口９ａに連通接続されるとともに、アダプタＰの吸引流路３ｂは戻り管９１ｂを介して給湯機９の吸引口９ｂに連通接続されている。
【００２９】
そして給湯機９の吐出口９ａから吐出された湯水は往き管９１ａを通ってアダプタＰの往き側接続管部３２ａに導入され、さらに吐出流路３ａを通って吐出口３１ａから浴槽Ｂ内に吐出されるようになっている。またアダプタＰの吸引口３１ｂから吸い込まれた浴槽Ｂ内の湯水は吸引流路３ｂおよび戻り管９ｂを通って給湯機９内に吸引されるようになっている。
【００３０】
図１に示すように往き管９１ａの途中には、往き管９１ａ内を湯水が流れているか否かを検出するためのフロースイッチ６が設けられている。図２に示すように制御手段４は、後に説明するようにフロースイッチ６からの情報に基づいて、つまり往き管９１ａ内に湯水が流れているか否かの情報を基づいて、必要に応じて排水栓５を開閉するように構成されている。なお本実施形態においては、往き管９１ａ内の湯水の流れが検出されるとフロースイッチ６がＯＮとなり、検出されなくなるとＯＦＦとなる。
【００３１】
本実施形態の給湯システムに用いられる給湯機９は全自動式のものであり、浴室やキッチンの壁面に設けられた操作パネル（図示省略）からの指令に応答して、給湯機９が作動して以下に示す湯はりや追焚等が行われるようになっている。
【００３２】
湯はりを行う場合には、給湯機９の吐出口９ａおよび吸引口９ｂから湯水Ｗが吐出され、その湯水Ｗが側往き管９１ａおよび戻り管９１ｂ、給湯アダプタＰの吐出流路３ａおよび吸引口３ｂを通って吐出口３１ａから浴槽Ｂ内に供給される。こうして所定量の湯水が浴槽Ｂ内に供給されると湯はりが完了する。
【００３３】
追焚を行う場合には、給湯機９の吐出口９ａから湯水Ｗが吐出されるとともに、吸引口９ｂが負圧に設定される。これにより浴槽Ｂ内の湯水Ｗが戻り管９１ｂを介して給湯機９内に吸引されるとともに、その吸引された湯水Ｗが給湯機９によって加熱された後、給湯機９の吐出口９ａから吐出される。給湯機９から吐出された湯水Ｗは、往き管９１ａを通ってアダプタＰの吐出口３１ａから浴槽Ｂ内に供給される。こうして湯水Ｗを循環させて浴槽Ｂ内の湯水Ｗの温度が所定の温度まで上昇すると、追焚が完了する。
【００３４】
図３は本実施形態の給湯システムの動作を説明するためのフローチャートである。同図に示すように給湯システムにおいては、ステップＳ１で入浴者等の使用者により開閉スイッチ７２が押操作されたか否かが判断されて、操作されていない場合には（ステップＳ１でＮＯ）、ステップＳ２においてフロースイッチ６によって湯水の流れが検出されたか否かが判断される。なお本実施形態ではフロースイッチ６のＯＮ状態が例えば１秒以上続いた際に湯水が流れたものと判断するようになっている。湯水の流れが検出されない場合には（ステップＳ２でＮＯ）、ステップＳ１に戻る。
【００３５】
こうして開閉スイッチ７２が操作されるか、またはフロースイッチ６による湯水の流れが検出されるまで待機する。
【００３６】
そしてこの待機中に開閉スイッチ７２が押操作されると（ステップＳ１でＹＥＳ）、ステップＳ３において閉塞位置検出手段５５ａおよび開放位置検出手段５５ｂからの情報を基に排水栓５が閉塞状態（閉塞位置）にあるか開放状態（開放位置）にあるかが判断される。閉塞位置にある場合（ステップＳ３で「閉」）、後に詳述する閉時のスイッチ操作による動作が行われて（ステップＳ５）、排水栓５が開放されてステップＳ１に戻る。
【００３７】
開閉スイッチ７２が押操作された際に（ステップＳ１でＹＥＳ）、排水栓５が開状態にある場合（ステップＳ３で「開」）、後に詳述する開時のスイッチ操作による動作が行われて（ステップＳ６）、排水栓５が閉塞されてステップＳ１に戻る。
【００３８】
一方ステップＳ１，Ｓ２の待機中において例えば湯はり等が開始されて、フロースイッチ６による湯水の流れが検出されると（ステップＳ２でＹＥＳ）、ステップＳ４において閉塞位置検出手段５５ａおよび開放位置検出手段５５ｂからの情報を基に排水栓５が閉塞状態（閉塞位置）にあるか開放状態（開放位置）にあるかが判断される。閉塞位置にある場合（ステップＳ４で「閉」）、後に詳述する閉時のフロー検出による動作が行われて（ステップＳ７）、ステップＳ１に戻る。
【００３９】
フロースイッチ６により湯水の流れが検出された際に（ステップＳ２でＹＥＳ）、排水栓５が開状態にある場合（ステップＳ４で「開」）、後に詳述する開時のフロー検出による動作が行われて（ステップＳ８）、ステップＳ１に戻る。
【００４０】
図４は実施形態の給湯システムにおいて閉時のスイッチ操作による動作を説明するためのフローチャートである。同図に示すようにこの動作は排水栓５が閉塞された状態で開閉スイッチ７２が押操作された際の動作（図３のステップ６）であり、初期状態では排水栓５が閉塞されて閉表示ＬＥＤ７２ａが点灯し、開表示ＬＥＤ７２ｂが消灯している。
【００４１】
この状態からステップＳ５０１に示すように、開閉スイッチ７２から入力される指令を受け付けない状態（開閉スイッチ再操作キャンセル状態）となる。例えば使用者が開閉スイッチ７２を押操作してもその操作には応答せずに操作できない状態となる。続いてステップＳ５０２において、モーター７５が駆動して排水栓５が開放する方向（上方向）に移動していく。次にステップＳ５０３において閉塞位置検出手段５５ａからの情報を基に排水栓５が閉塞位置にあるか否かが検出され、閉塞位置にある間は待機する（ステップＳ５０３でＮＯ）。そして排水栓５が閉塞位置から離れると（ステップＳ５０３でＹＥＳ）、閉表示ＬＥＤ７２ａが消灯する（ステップＳ５０４）。
【００４２】
続いて開放位置検出手段５５ｂからの情報を基に排水栓５が開放位置に到達したか否かが検出され、到達していない場合（ステップＳ５０５でＮＯ）、モーター７５の駆動が継続して行われ排水栓５の開放方向への移動が継続して行われる（ステップＳ５０６）。そして排水栓５が開放位置に到達して排水口２１が確実に開放された場合（ステップＳ５０５でＹＥＳ）、ステップＳ５０７，Ｓ５０８に示すようにモーター７５の駆動が停止して開表示ＬＥＤ７２ｂが点灯する。
【００４３】
その後、開閉スイッチ７２の再操作キャンセル状態が解除されて開閉スイッチ７２からの指令を受け付けることができる状態となり（ステップＳ５０９）、その状態で待機する（ステップＳ５１０）。これにより閉時のスイッチ操作による動作（図３のステップＳ５）が終了する。
【００４４】
図５は実施形態の給湯システムにおいて開時のスイッチ操作による動作を説明するためのフローチャートである。同図に示すようにこの動作は排水栓５が開放された状態で開閉スイッチ７２が押操作された際の動作（図３のステップ６）であり、初期状態では排水栓５が開放されて開表示ＬＥＤ７２ｂが点灯し、閉表示ＬＥＤ７２ａが消灯している。
【００４５】
この状態からステップＳ６０１に示すように、開閉スイッチ７２から入力される指令を受け付けない状態（開閉スイッチ再操作キャンセル状態）となる。続いてステップＳ６０２において、モーター７５が駆動して排水栓５が閉塞する方向（下方向）に移動していく。次にステップＳ６０３において開放位置検出手段５５ｂからの情報を基に排水栓５が開放位置にあるか否かが検出され、開放位置にある間は待機する（ステップＳ６０３でＮＯ）。そして排水栓５が開放位置から離れると（ステップＳ６０３でＹＥＳ）、開表示ＬＥＤ７２ｂが消灯する（ステップＳ６０４）。
【００４６】
続いて閉塞位置検出手段５５ａからの情報を基に排水栓５が閉塞位置に到達したか否かが検出され、到達していない場合（ステップＳ６０５でＮＯ）、モーター７５の駆動が継続して行われ排水栓５の閉塞方向への移動が継続して行われる（ステップＳ６０６）。そして排水栓５が閉塞位置に到達して排水口２１が確実に閉塞された場合（ステップＳ６０５でＹＥＳ）、ステップＳ６０７，Ｓ６０８に示すようにモーター７５の駆動が停止して閉表示ＬＥＤ７２ａが点灯する。
【００４７】
その後、開閉スイッチ７２の再操作キャンセル状態が解除されて開閉スイッチ７２からの指令を受け付けることができる状態となり（ステップＳ６０９）、その状態で待機する（ステップＳ６１０）。これにより開時のスイッチ操作による動作（図３のステップＳ６）が終了する。
【００４８】
図６は実施形態の給湯システムにおいて閉時のフロー検出による動作を説明するためのフローチャートである。同図に示すようにこの動作は排水栓５が閉塞された状態でフロースイッチ６による往き管９１ａ内における湯水の流れを検出した際の動作（図３のステップ７）であり、例えば排水栓５が閉塞された状態で湯はり等が行われて、往き管９１ａ内に湯水が供給される場合等である。なお初期状態では排水栓５が閉塞されて閉表示ＬＥＤ７２ａが点灯し、開表示ＬＥＤ７２ｂが消灯している。
【００４９】
この状態からステップＳ７０１に示すように、開閉スイッチ７２から入力される指令を受け付けない状態（開閉スイッチ操作キャンセル状態）となる。さらにステップＳ７０２に示すように閉表示ＬＥＤ７２ａの点灯が継続して行われる。
【００５０】
続いてフロースイッチ６により湯水の流れを検出している間は待機する（ステップＳ７０３でＹＥＳ）。
【００５１】
そして湯はりの完了等によって、往き管９１ａ内の湯水が流れなくなると（ステップＳ７０３でＮＯ）、開閉スイッチ７２の操作キャンセル状態が解除されて開閉スイッチ７２からの指令を受け付けることができる状態となり（ステップＳ７０４）、その状態で待機する（ステップＳ７０５）。これにより閉時のフロー検出による動作（図３のステップＳ７）が終了する。
【００５２】
図７は実施形態の給湯システムにおいて開時のフロー検出による動作を説明するためのフローチャートである。同図に示すようにこの動作は排水栓５が開放された状態でフロースイッチ６による往き管９１ａ内における湯水の流れを検出した際の動作（図３のステップ８）であり、例えば排水栓５が開放された状態で湯はり等が行われて、往き管９１ａ内に湯水が供給される場合等である。なお初期状態では排水栓５が開放されて開表示ＬＥＤ７２ｂが点灯し、閉表示ＬＥＤ７２ａ消灯している。
【００５３】
この状態からステップＳ８０１に示すように、開閉スイッチ７２から入力される指令を受け付けない状態（開閉スイッチ操作キャンセル状態）となる。
【００５４】
次にモーター７５が駆動して排水栓５が閉塞する方向（下方向）に移動していく（ステップＳ８０２）。次にステップＳ８０３において開放位置検出手段５５ｂからの情報を基に排水栓５が開放位置にあるか否かが検出されて、開放位置にある間は待機する（ステップＳ８０３でＮＯ）。次に排水栓５が開放位置から離れると（ステップＳ８０３でＹＥＳ）、開表示ＬＥＤ７２ｂが消灯する（ステップＳ８０４）。
【００５５】
続いて閉塞位置検出手段５５ａからの情報を基に排水栓５が閉塞位置に到達したか否かが検出され、到達していない場合（ステップＳ８０５でＮＯ）、モーター７５の駆動が継続して行われ排水栓５の閉塞方向への移動が継続して行われる（ステップＳ８０６）。そして排水栓５が閉塞位置に到達して排水口２１が確実に閉塞された場合（ステップＳ８０５でＹＥＳ）、ステップＳ８０７，Ｓ８０８に示すようにモーター７５の駆動が停止して閉表示ＬＥＤ７２ａが点灯する。
【００５６】
さらに往き管９１ａ内に湯水が流れている間は待機する（ステップＳ８０９でＹＥＳ）。そして湯はりの完了等によって、往き管９１ａ内の湯水の流れが検出されなくなると（ステップＳ８０９でＮＯ）、開閉スイッチ７２の操作キャンセル状態が解除されて開閉スイッチ７２からの指令を受け付けることができる状態となり（ステップＳ８１０）、その状態で待機する（ステップＳ８１１）。これによる開時のフロー検出による動作（図３のステップ８）が終了する。
【００５７】
以上のように本実施形態の給湯システムによれば、排水栓５を開放した状態で謝って湯はりを行ったとしても、排水栓５が自動的に閉塞してその閉塞状態が湯はりが完了するまで維持される。このため排水栓５を開放した状態で湯はりを開始したとしても浴槽Ｂ内に所定量の湯水を確実に貯めることができる。
【００５８】
また本実施形態の給湯システムにおいては、フロースイッチ６により往き管９１ａ内の湯水の流れが検出されている間、開閉スイッチ７２から指令を受け付けるのを禁止するようにしているため、湯はり中に謝って開閉スイッチ７２を押操作しても不用意に排水栓５が開放するのを確実に防止することができる。このため湯はりを行ったにもかかわらず、浴槽Ｂ内に湯水が貯められていない等の湯はり不良（湯はりエラー）の発生を確実に防止することができる。
【００５９】
なお上記実施形態においては、フロースイッチ６を往き管９１ａに設ける場合を例に挙げて説明したが、それだけに限られず、本発明において、往き管９１ａ、給湯アダプタＰの吐出流路３ａによって構成される往き側流路上であれば、どの位置にフロースイッチを設けるようにしても良い。例えばフロースイッチを給湯アダプタＰの吐出流路３ａ内に設けるようにしても良い。もっとも本発明においては、フロースイッチを給湯アダプタの内部に組み込むと、給湯アダプタの構造が複雑になってフロースイッチの取付が困難になるおそれがあるため、フロースイッチを往き管等の外部配管に設けるのが好ましい。
【００６０】
また上記実施形態において湯はり時等の湯水Ｗの供給をダブル搬送方式で行うようにしているが、それだけに限られず、本発明においては湯はり時等の湯水の供給を往き管だけで行うようにしたシングル搬送式も採用することができる。
【００６１】
また上記実施形態においては、アダプタＰとして排水栓が一体に組み込まれた排水栓一体型給湯アダプタを用いる場合を例に挙げて説明したがそれだけに限られず、本発明においては、排水口や排水栓を一体に備えていない給湯アダプタを用いるようにしても良い。
【００６２】
さらに上記実施形態においては、浴槽および給湯機間に湯水を循環させる循環型の給湯システムを例に挙げて説明したがそれだけに限られず、本発明においては、給湯機から浴槽内に湯水を供給するだけの給湯システムにも適用することができる。
【００６３】
ところで本発明においては、上記実施形態のように浴槽と給湯機との間に往き管および戻り管が設置された循環式の給湯システムを採用する場合には、戻り管９１ｂと給湯アダプタＰの吸引流路３ｂとで構成される戻り側流路にフロースイッチを設置することもできる。すなわち循環式の給湯システムにおいて湯はりをダブル搬送方式で行う場合、湯はり時にフロースイッチによって戻り側流路における湯水の流れを検出することができる。従って排水栓が開放された状態で湯はりを行った場合、フロースイッチからの情報を基に、上記と同様に排水栓を自動的に閉塞することができ、湯はりエラーを防止することができる。また追焚時においても戻り側流路における湯水の流れを検出することができる。従って追焚を行う際にその直前に、入浴者が勘違い等によってスイッチ操作により排水栓を開いてしまったような場合、フロースイッチからの情報を基に、上記と同様に排水栓を閉塞することができ、追焚エラーを防止することができる。
【産業上の利用可能性】
【００６４】
この発明の浴槽の給湯システムは、例えば一般住宅等の浴槽に適用することができる。
【符号の説明】
【００６５】
２：排水管
２１：排水口
４：制御手段
５：排水栓
５５ａ：閉塞位置検出手段（開閉状態検出手段）
５５ｂ：開放位置検出手段（開閉状態検出手段）
６：フロースイッチ
７１：排水栓操作部
７５：モーター（開閉駆動手段）
９１ａ：往き管
Ｂ：浴槽
Ｐ：排水栓一体型給湯アダプタ
【図１】
2016205766.tif 000003
【図２】
2016205766.tif 000004
【図３】
2016205766.tif 000005
【図４】
2016205766.tif 000006
【図５】
2016205766.tif 000007
【図６】
2016205766.tif 000008
【図７】
2016205766.tif 000009